(57)【要約】【課題】窓や壁に設置した電動ブラインドにインテリア効果や宣伝広告効果を付加することによって、電動ブラインドを有効活用し、居住環境を快適にしたり、窓をつぶすことなくオフィスにおける宣伝広告を行うことができる複葉電動ブラインド遠隔制御システムを提供する。【解決手段】インターネット３等の電気通信回線を通じて接続された通信端末１０より広告・アニメ・情景等の映像データを映像データの描写態様を示す演出データとともに受信し、これらのデータを基に算出したモータ制御演算部の算出結果に応じて、スラット角度駆動部と前記ブラインド昇降駆動部とを制御して、電動ブラインド１８のスラット面に表示することを特徴とする。【選択図】          図１
2004339760.tif 000002
【特許請求の範囲】
【請求項１】
インターネット等の電気通信回線を通じて提供された情報を受信するとともに、当該情報に応じて電動ブラインドの制御方式を計算する操作端末と、複葉多数組のスラットで構成された電動ブラインドを制御するコントローラと、が接続された通信制御装置を備え、
前記通信制御装置は、前記操作端末からの情報を検出する手段と、受信した情報が前記コントローラをＬＡＮに接続させるための接続要求信号であるとき、前記コントローラをＬＡＮに接続する手段と、を有することを特徴とする複葉電動ブラインド遠隔制御システム。
【請求項２】
前記コントローラは、
前記操作端末からの前記電動ブラインドの視覚表示態様を受信する受信部と、
前記受信部より受信した結果に基づいて、前記電動ブラインドのスラット角度とブラインド長さを計算するモータ制御演算部と、
前記電動ブラインドを前記モータ制御演算部により算出されたスラット角度に設定可能なスラット角度駆動部と、
前記電動ブラインドを前記モータ制御演算部により算出されたブラインド長さに設定可能なブラインド昇降駆動部と、
を有し、
前記モータ制御演算部の算出結果に応じて、前記スラット角度駆動部と前記ブラインド昇降駆動部とを制御して、前記受信部より受信した視覚表示態様を前記電動ブラインドに表示することを特徴とする請求項１記載の複葉電動ブラインド遠隔制御システム。
【請求項３】
前記コントローラは、
前記操作端末からの前記電動ブラインドの視覚表示態様を受信する受信部と、
前記受信部より受信した結果に基づいて、前記電動ブラインドのスラット角度とブラインド長さを計算するモータ制御演算部と、
前記受信部より受信した結果に基づいて、前記電動ブラインドの複葉ブラインド面の選択を行うスラット選択部と、
前記電動ブラインドを前記モータ制御演算部により算出されたスラット角度に設定可能なスラット角度駆動部と、
前記電動ブラインドを前記モータ制御演算部により算出されたブラインド長さに設定可能なブラインド昇降駆動部と、
を有し、
前記モータ制御演算部の算出結果に応じて、前記スラット角度駆動部と前記ブラインド昇降駆動部と前記スラット選択部を制御して、前記受信部より受信した視覚表示態様を前記電動ブラインドに表示することを特徴とする請求項１記載の複葉電動ブラインド遠隔制御システム。
【発明の詳細な説明】
【０００１】
【発明の属する技術分野】
本発明は、広告やインテリアのために複葉多数組のスラット選択とスラット角度とブラインド長さを変更することのできる複葉電動ブラインド遠隔制御システムに関するものである。
【０００２】
【従来の技術】
住宅における居住環境を快適にするために、従来より、屋内の、特に窓際にインテリアを設置する方法が採られている。また、オフィスにおいて宣伝広告を狙う目的で、従来より、窓を広告媒体として活用する方法が採られている。
【０００３】
このように、窓や窓際を活用して環境を整えることが試みられてきているが、窓や窓際にはブラインドを設置しているため、このブラインドの昇降操作に必要なスペースを確保する必要があった。
【０００４】
【発明が解決しようとする課題】
しかしながら、都心部においては居住環境の狭さから、ブラインドの昇降操作に必要なスペースを確保するだけで精一杯であり、インテリアを施したりすることなどは敬遠されがちである。
【０００５】
また、住宅やオフィスにおけるブラインドは、専ら遮蔽のために使用されるのが一般的である。このため、住宅においては、十分な採光と遮蔽のために、ブラインドが設置してある窓際にインテリアを施す余裕がないのが実情であり、また、オフィスにおいては、ブラインドが設置してある窓を広告媒体として使用し、窓をつぶしているのが実情であった。
【０００６】
本発明はこのような点に鑑みてなされたものであり、その目的は、窓や壁に設置した電動ブラインドにインテリア効果や宣伝広告効果を付加することによって、電動ブラインドを有効活用し、居住環境を快適にしたり、窓をつぶすことなくオフィスにおける宣伝広告を行うことができる複葉電動ブラインド遠隔制御システムを提供することにある。
【０００７】
【課題を解決するための手段】
以上のような課題を解決するために、本発明は、インターネット等の電気通信回線を通じて接続された通信端末より広告・アニメ・情景等の映像データを映像データの描写態様を示す演出データとともに受信し、これらのデータを基に算出したモータ制御演算部の算出結果に応じて、前記スラット角度駆動部と前記ブラインド昇降駆動部とを制御して、電動ブラインドのスラット面に表示することを特徴とする。
【０００８】
より具体的には、本発明は、以下のものを提供する。
【０００９】
（１）  インターネット等の電気通信回線を通じて提供された情報を受信するとともに、当該情報に応じて電動ブラインドの制御方式を計算する操作端末と、複葉多数組のスラットで構成された電動ブラインドを制御するコントローラと、が接続された通信制御装置を備え、前記通信制御装置は、前記操作端末からの情報を検出する手段と、受信した情報が前記コントローラをＬＡＮに接続させるための接続要求信号であるとき、前記コントローラをＬＡＮに接続する手段と、を有することを特徴とする複葉電動ブラインド遠隔制御システム。
【００１０】
本発明によれば、操作端末から受信した情報がコントローラをＬＡＮに接続するための接続要求信号であるとき、コントローラによる電動ブラインドの制御をＬＡＮに接続された操作端末、インターネット等の電気通信回線を通じて接続された通信端末等により行うことができるので、電動ブラインドを操作端末、通信端末等により遠隔操作することができる。
【００１１】
（２）  前記コントローラは、前記操作端末からの前記電動ブラインドの視覚表示態様を受信する受信部と、前記受信部より受信した結果に基づいて、前記電動ブラインドのスラット角度とブラインド長さを計算するモータ制御演算部と、前記電動ブラインドを前記モータ制御演算部により算出されたスラット角度に設定可能なスラット角度駆動部と、前記電動ブラインドを前記モータ制御演算部により算出されたブラインド長さに設定可能なブラインド昇降駆動部と、を有し、前記モータ制御演算部の算出結果に応じて、前記スラット角度駆動部と前記ブラインド昇降駆動部とを制御して、前記受信部より受信した視覚表示態様を前記電動ブラインドに表示することを特徴とする複葉電動ブラインド遠隔制御システム。
【００１２】
本発明によれば、広告・アニメ・情景等の映像データと、これらの広告・アニメ・情景等の描写態様を示す演出データと、から構成される電動ブラインドの視覚表示態様を操作端末から受信して、電動ブラインドに表示することによって、電動ブラインドを有効活用し、居住環境を快適にしたり、窓をつぶすことなくオフィスにおける宣伝広告を行うことができる。
【００１３】
この際、モータ制御演算部によって、受信した視覚表示態様のデータに基づいて電動ブラインドのスラット角度とブラインド長さを計算し、モータ制御演算部の算出結果に応じて、スラット角度駆動部とブラインド昇降駆動部とを制御して視覚表示態様を表示することによって、電動ブラインドの本来の目的である採光及び遮光を考慮した電動ブラインドの有効活用ができることとなる。
【００１４】
（３）  前記コントローラは、前記操作端末からの前記電動ブラインドの視覚表示態様を受信する受信部と、前記受信部より受信した結果に基づいて、前記電動ブラインドのスラット角度とブラインド長さを計算するモータ制御演算部と、前記受信部より受信した結果に基づいて、前記電動ブラインドの複葉ブラインド面の選択を行うスラット選択部と、前記電動ブラインドを前記モータ制御演算部により算出されたスラット角度に設定可能なスラット角度駆動部と、前記電動ブラインドを前記モータ制御演算部により算出されたブラインド長さに設定可能なブラインド昇降駆動部と、を有し、前記モータ制御演算部の算出結果に応じて、前記スラット角度駆動部と前記ブラインド昇降駆動部と前記スラット選択部を制御して、前記受信部より受信した視覚表示態様を前記電動ブラインドに表示することを特徴とする複葉電動ブラインド遠隔制御システム。
【００１５】
本発明によれば、広告・アニメ・情景等の映像データと、これらの広告・アニメ・情景等の描写態様を示す演出データと、から構成される電動ブラインドの視覚表示態様を操作端末から受信して、電動ブラインドに表示することによって、電動ブラインドを有効活用し、居住環境を快適にしたり、窓をつぶすことなくオフィスにおける宣伝広告を行うことができる。
【００１６】
ここで、電動ブラインドは、複数の葉を持つスラットで構成された複葉ブラインド面を有しており、複数のスラット面からの選択を行うことによって、より多彩な電動ブラインドの視覚表示態様が実現できる。
【００１７】
この際、受信した視覚表示態様のデータに基づいて、モータ制御演算部の算出結果に応じて、スラット角度駆動部とブラインド昇降駆動部とスラット選択部を制御して視覚表示態様を表示することによって、電動ブラインドの本来の目的である採光及び遮光を考慮した電動ブラインドの有効活用ができることとなる。
【００１８】
【発明の実施の形態】
以下、本発明に係る複葉電動ブラインド遠隔制御システムについて、図面を参照しつつ説明する。
【００１９】
図１は、本発明の実施の形態に係る複葉電動ブラインド遠隔制御システムの概略図である。
【００２０】
本発明の実施の形態に係る複葉電動ブラインド遠隔制御システム１は、通信端末１０と、操作端末１３と、コントローラ１４と、通信制御装置１６ａ及び１６ｂと、から構成されている。そして、コントローラ１４と通信制御装置１６ａは１００Ｖ電源線又はツイストペア線でＬＡＮ接続されており（符号７）、操作端末１３と通信制御装置１６ａはＬＡＮ（Ｌｏｃａｌ  Ａｒｅａ  Ｎｅｔｗｏｒｋ）接続されており（符号５）、通信端末１０と通信制御装置１６ｂはインターネット接続されている（符号３）。ここで、インターネットやＬＡＮ接続は、一般的に広く用いられているＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いる、いわゆるイーサネット（Ｅｔｈｅｒｎｅｔ、富士ゼロックス株式会社の登録商標）により構成されている。また、上記のＬＡＮ接続（符号７）に換えて、コントローラ１４と通信制御装置１６ａとをＬＯＮ接続することもできる。ここで、ＬＯＮ接続は、ニューロン（Ｎｅｕｒｏｎ、米国エシェロン社の商標）チップを用い、ＬｏｎＴａｌｋプロトコルを用いたＬｏｎｗｏｒｋｓネットワークにより構成されている。
【００２１】
通信端末１０は、インターネット３等の電気通信回線を通じて接続されたものであり、通信制御装置１６を介して操作端末１３に、広告・アニメ・情景等の映像データと、これらの広告・アニメ・情景等の描写態様を示す演出データと、１００Ｖ電源線又はツイストペア線でＬＡＮ接続されており（符号７）、操作端末１３と通信制御装置１６ａはＬＡＮ（Ｌｏｃａｌ  Ａｒｅａ  Ｎｅｔｗｏｒｋ）接続されており（符号５）、通信端末１０と通信制御装置１６ｂはインターネット接続されている（符号３）。ここで、インターネットやＬＡＮ接続は、一般的に広く用いられているＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いる、いわゆるイーサネット（Ｅｔｈｅｒｎｅｔ、富士ゼロックス株式会社の登録商標）により構成されている。また、上記のＬＡＮ接続（符号７）に換えて、コントローラ１４と通信制御装置１６ａとをＬＯＮ接続することもできる。ここで、ＬＯＮ接続は、ニューロン（Ｎｅｕｒｏｎ、米国エシェロン社の商標）チップを用い、ＬｏｎＴａｌｋプロトコルを用いたＬｏｎｗｏｒｋｓネットワークにより構成されている。
【００２２】
操作端末１３は、通信端末１０より受信した映像データと演出データとを視覚表示態様として電動ブラインド１８に表示・エミュレートさせるものである。この操作端末１３は、図２に示すように、中央演算処理装置であるＣＰＵ１３ａ、ＲＡＭやＲＯＭ等により構成されるメモリ１３ｂ、ＬＡＮ接続を行うためのＥｔｈｅｒｎｅｔトランシーバ１３ｃ、から構成されている。そして、Ｅｔｈｅｒｎｅｔトランシーバ１３ｃは通信制御装置の一種であるルータ１６ａ及び１６ｂに接続されている。
【００２３】
ここで、操作端末１３のＣＰＵ１３ａは、通信端末１０からの映像データと演出データに従って電動ブラインド１８に広告・アニメ・情景等の映像を表示・エミュレートする機能を有している。
【００２４】
コントローラ１４は、通信制御装置１６（ルータ１６ａ，１６ｂ）に接続するトランシーバ１４ａと、ＣＰＵ・メモリ等で構成され、操作端末１３からの軸制御指令により所定のスラット選択とスラット角度とブラインド長さを実現するための演算を行うモータ制御演算部１４ｂと、電動ブラインド１８のスラット角度を制御するスラット角度駆動部及び電動ブラインド１８のブラインド長さを制御するブラインド昇降駆動部１４ｃ（ポート出力部１〜４）と、電動ブラインドの複葉ブラインド面のスラットの選択を行うスラット選択部１４ｄと、から構成され、さらに、スラット角度駆動部及びブラインド昇降駆動部１４ｃとスラット選択部１４ｄとは、それぞれゲート１４ｃ’と１４ｄ’とに接続されており、モータ制御演算部１４ｂの演算結果をスラット角度駆動部及びブラインド昇降駆動部１４ｃとスラット選択部１４ｄとに送信することにより、電動ブラインド１８において所定のスラット選択とスラット角度とブラインド長さを位置決め制御できる。ここで、スラット角度駆動部は電動ブラインドのスラット角度を＋−９０度の範囲で可変とするものである。
【００２５】
通信制御装置１６は、操作端末１３をインターネット３に接続する通信制御手段１６ｂと、操作端末１３をコントローラ１４に接続する通信制御手段１６ａと、からなり、インターネット上の通信端末１０からの映像データ及び演出データを受信して操作端末１３のＣＰＵ１３ａに送信するものである。
【００２６】
図２に基づいて、本発明の実施の形態に係る複葉電動ブラインド遠隔制御システムについて説明する。
【００２７】
まず、操作端末１３からの接続要求信号を通信制御装置１６ａが受信すると、コントローラ１４をＬＡＮ接続して、通信制御装置１６ｂを介したインターネット上の通信端末１０に接続する。
【００２８】
操作端末１３による使用者の操作によって通信端末１０により受信した広告・アニメ・情景等の映像データと、これらの広告・アニメ・情景等の描写態様を示す演出データと、を操作端末１３のメモリ１３ｂに記憶し、ＣＰＵ１３ａにて処理をする。
【００２９】
ＣＰＵ１３ａによる処理は、まず、映像データと演出データとで構成される視覚表示態様を、電動ブラインド１８を構成する複葉複数組のスラットに分解する。こうして分解されたデータは、コントローラ１４に順次タイムリーに指令を発するシーケンス制御プログラムに変換する。
【００３０】
また、ＣＰＵ１３ａによる処理によって、コントローラ１４にシーケンス制御指令を発するときのターンアラウンド表を編集設定する。このターンアラウンド表によって、操作端末１３からコントローラ１４に分解された映像データと演出データとが順次送信される。
【００３１】
このコントローラ１４は、前述したように、ＣＰＵ・メモリ、トランシーバ（Ｅｔｈｅｒｎｅｔ／Ｌｏｎｔａｌｋ）、リレー論理回路等で構成され、コントローラ１４は操作端末１３から状態読込指令を受信したら、ＡＣＫと共に現在の状態データを端末に送信する。コントローラ１４は、操作端末１３から座標系設定指令，絶対位置決め指令を受信したら、モータを回転制御して所定の角度にすると共にＡＣＫを端末に送信する。すなわち、コントローラ１４は、座標系設定指定の指定座標系絶対位置決め指令カウンタにパルスエンコーダの絶対位置決めパルスカウンタ値を計算し設定する。コントローラ１４は、指定座標系モータ同軸のパルスエンコーダから発信されたパルス値入力を指定座標系現在位置表示カウンタに加算する。コントローラ１４は、指定座標系絶対位置決め指令カウンタに指定座標系現在位置表示カウンタ値が一致するまでモータ回転信号を出力し所定の位置決め制御を達成する。
【００３２】
ここで、本発明の実施の形態に係る複葉電動ブラインド遠隔制御システムの位置決め制御指令の体系について、図３〜図５を基に説明する。
【００３３】
図３は、通信端末１０のシステム機能ブロック図であり、通信端末１０は、コントローラ・ブラウザ表示部１０１と、コマンド入力部１０２と、シーケンス制御指令送信部１０３と、コントローラ状態受信部１０４と、を有する。
【００３４】
コントローラ・ブラウザ表示部１０１は、パソコンの標準ブラウザを使用して、予め設定してある単数或いは複数のブラインドを映像データと演出データとに従ってシーケンス制御する指令を発信し、コントローラの状態データを表示・入力するものである。また、コマンド入力部１０２は、標準ブラウザを使用して直接手動でコントローラ１４にブラインド位置決め制御指令を送信するものである。コントローラ状態受信部１０４は、コントローラの状態を知りたいときに状態読込指令をコントローラ１４に送信し、コントローラ１４からのＡＣＫとともにコントローラ１４の状態データを受信するものである。
【００３５】
図４は、操作端末１３のシステム機能ブロック図であり、操作端末１３は、コントローラ・ブラウザ表示部１３１と、コマンド入力部１３２と、マクロシーケンス展開部１３３と、シーケンス制御指令送信部１３４と、コントローラ状態受信部１３５と、を有する。
【００３６】
操作端末１３は、コントローラ１４に対し制御ポートの状態を通知するように指令する。また、操作端末１３は、コントローラ１４のＡＣＫが一定時間内にない場合にリトライする。そして、コントローラ１４は操作端末１３に対し、ＡＣＫとともに、制御ポートの状態データを通知する。操作端末１３は、コントローラ１４からの制御ポート状態を解読しコントローラ・ブラウザ表示部１３１によって画面に表示する。
【００３７】
コントローラ・ブラウザ表示部１３１は、電動ブラインド１８に表示する視覚表示態様を操作端末１３に表示する。
【００３８】
コマンド入力部１３２は、操作端末１３がコントローラ１４に対し直接ポートを制御する指令を送信するためのコマンドを入力するものである。コマンド入力部１３２によってコマンドの入力が行われたときには、コントローラ１４は操作端末１３に対しＡＣＫとともに制御指令の結果を通知する。
【００３９】
マクロシーケンス展開部１３３は、展示データシナリオ設定フェーズにより作成された複葉複数組のスラットの連続した展示情景画面（視覚表示態様）を、コントローラに順次タイムリーに指令を発するシーケンス制御プログラムに変換する。より具体的には、特定のブラインド面を表示するための複数のスラットの一連のシーケンス指令を作成し、マクロ登録しメモリ１３ｂに保存する。このマクロが操作端末１３によって起動されると、コントローラ１４に順次タイムリーにシーケンス制御指令を発し、特定のブラインド面を表示できるようにする。
【００４０】
シーケンス制御指令送信部１３４は、タイムスケジュールに従いコントローラ１４に対し演出のシーケンス制御指令を順次送信し、コントローラ１４からの位置決め完了ＡＣＫを受信してから次のシーケンス制御指令を順次送信する。
【００４１】
コントローラ状態受信部１３５は、コントローラ１４の状態を読み込むものである。操作端末１３によってコントローラの状態読込命令が送信されたときは、コントローラの状態データをＡＣＫとともに受信する。
【００４２】
図５は、コントローラ１４のシステム機能ブロック図であり、コントローラ１４は、コントローラ状態送信部１４１と、シーケンス制御指令受信部１４２と、シーケンス制御演算部１４３と、ポート出力部１４４と、ポート入力部１４５と、を有する。
【００４３】
コントローラ状態送信部１４１は、通信端末１０や操作端末１３からの状態読込指令を受信したらＡＣＫとともに現在のコントローラの状態データを通信端末１０や操作端末１３に送信する。
【００４４】
シーケンス制御指令受信部１４２は、通信端末１０や操作端末１３からの座標系設定指令、絶対位置決め指令を受信したら、モータを回転制御して所定のスラット角度にするとともにＡＣＫを送信する。
【００４５】
シーケンス制御演算部１４３は、座標系設定指定の絶対位置決めカウンタに絶対位置決め指令値とパルスエンコーダの現在位置表示カウンタ値の差分を計算し設定する。
【００４６】
ポート出力部１４４は、座標系設定指定の絶対位置決めカウンタにエンコーダパルス入力値が一致するまでモータ回転信号を出力する。
【００４７】
ポート入力部１４５は、指定座標系モータ同軸のパルスエンコーダから発信されたパルス値入力を指定座標系現在位置カウンタにカウントアップする。
【００４８】
図６は、本発明の実施の形態に係る複葉電動ブラインド遠隔制御システムのスラット選択部１４ｄで行われるスラット選択を説明するための概略図である。
【００４９】
図６において、スラット選択の際には、（ａ）の状態にあるスラットを矢印方向に紐で引っ張ることによりスラットが反転し、（ｂ）の状態にすることができる。各スラットは角度調節紐と上下昇降紐の各組で空間に保持されている。この複葉電動ブラインド遠隔制御システムは、１個のサーボモータで１組２本の紐はプーリーを介して巻昇げ巻降し角度調節制御される。各スラットは上に引上げられた状態から上下昇降紐を手繰り出す事で下降を始める。その間、角度調節紐はフリーである。そして、ある所まで下降すると各スラット毎に固有の場所で角度調節紐にテンションがかかり下降が止まり、上下昇降紐はフリーとなり、サーボモータはプーリーを介してスラット角度を制御可能になる。このとき、他のスラットを角度制御されるスラットの直近に上下昇降位置決めすれば、角度制御されるスラットに倣って角度制御される事になる。
【００５０】
【発明の効果】
以上のように、本発明によれば、ブラインドと窓という本来の機能・採光環境を失うことなく、広告や居住空間の演出が可能な複葉電動ブラインド遠隔制御システムを提供することができる。
【図面の簡単な説明】
【図１】本発明の実施の形態に係る複葉電動ブラインド遠隔制御システムの概略図
【図２】本発明の実施の形態に係る複葉電動ブラインド遠隔制御システムのブロック図
【図３】本発明の実施の形態に係る電動ブラインド遠隔制御システムの操作端末のブロック図
【図４】本発明の実施の形態に係る複葉電動ブラインド遠隔制御システムの通信端末のブロック図
【図５】本発明の実施の形態に係る複葉電動ブラインド遠隔制御システムの操作端末のブロック図
【図６】本発明の実施の形態に係る複葉電動ブラインド遠隔制御システムのコントローラの概略図
【符号の説明】
１  複葉電動ブラインド遠隔制御システム
３  インターネット
５  ＬＡＮ
７  ＬＡＮ／ＬＯＮ
１０  通信端末
１３  操作端末
１４  コントローラ
１６  通信制御装置（１６ａ，１６ｂ）
１８  電動ブラインド
【図１】
2004339760.tif 000003
【図２】
2004339760.tif 000004
【図３】
2004339760.tif 000005
【図４】
2004339760.tif 000006
【図５】
2004339760.tif 000007
【図６】
2004339760.tif 000008